(57)【要約】【課題】オペレータが発行済みレシートを参照しながら登録済み取引データを変更する際に、画面上で該当商品を見つけやすくし操作性や検索性の改善をはかる。【解決手段】読出部１５が、読出指示入力部４１からの読出指示に応じて登録済み取引データを保存部３０から読み出し、編集部１３が、読出部１５によって保存部３０から読み出された登録済み取引データ、および、所定の編集規則に基づいて、発行済みレシート２００の印字内容における商品の印字順序と同一順序となるように明細表示画面を編集し、表示制御部１４が、編集部１３によって編集された明細表示画面を表示部７０に表示させる。【選択図】図１
2005275686.tif 000002
【特許請求の範囲】
【請求項１】
購入商品の商品コードを獲得する商品コード獲得部と、
該商品コード獲得部によって獲得された前記商品コードに対応する商品情報を検索して読み出す検索部と、
該検索部によって検索された前記商品情報を取引データとして保存部に登録・保存する登録部と、
前記購入商品の精算を完了した時に、該登録部によって該保存部に登録・保存された取引データ、および、所定の編集規則に基づいて、レシート印字内容を編集する第１編集部と、
該第１編集部によって編集されたレシート印字内容を印字したレシートを発行するレシート発行部と、
前記購入商品の取引に関する各種データを表示する表示部と、
該表示部における表示状態を制御する表示制御部と、
発行済みレシートの印字内容に対応する登録済み取引データを該保存部から読み出すための読出指示を入力する読出指示入力部と、
該読出指示入力部からの読出指示に応じて前記登録済み取引データを該保存部から読み出す読出部と、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部とをそなえ、
該表示制御部が、該第２編集部によって編集された明細表示画面を該表示部に表示させるように該表示部の表示状態を制御することを特徴とする、金銭登録装置。
【請求項２】
該第２編集部が、まず、前記明細表示画面として、当該印字内容を簡略的に表示する簡略表示画面を編集し、該表示制御部が、当該簡易表示画面を該表示部に表示させるように該表示部の表示状態を制御してから、
該第２編集部が、前記明細表示画面として、当該印字内容を正式に表示する正式表示画面を編集・復元し、該表示制御部が、当該正式表示画面を該表示部に表示させるように該表示部の表示状態を制御することを特徴とする、請求項１記載の金銭登録装置。
【請求項３】
各商品についての商品情報を各商品の商品コードに対応付けて保存する商品情報データベースと、
購入商品の商品コードを獲得する商品コード獲得部と、
該商品コード獲得部によって獲得された前記商品コードに対応する商品情報を該商品情報データベースから検索して読み出す検索部と、
該検索部によって検索された前記商品情報を取引データとして保存部に登録・保存する登録部と、
前記購入商品の精算を完了した時に、該登録部によって該保存部に登録・保存された取引データ、および、所定の編集規則に基づいて、レシート印字内容を編集する第１編集部と、
該第１編集部によって編集されたレシート印字内容を印字したレシートを発行するレシート発行部と、
前記購入商品の取引に関する各種データを表示する表示部と、
該表示部における表示状態を制御する表示制御部と、
発行済みレシートの印字内容に対応する登録済み取引データを該保存部から読み出すための読出指示を入力する読出指示入力部と、
該読出指示入力部からの読出指示に応じて前記登録済み取引データを該保存部から読み出す読出部と、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部とをそなえ、
該表示制御部が、該第２編集部によって編集された明細表示画面を該表示部に表示させるように該表示部の表示状態を制御することを特徴とする、金銭登録システム。
【請求項４】
購入商品の商品コードを獲得する商品コード獲得部と、該商品コード獲得部によって獲得された前記商品コードに対応する商品情報を検索して読み出す検索部と、該検索部によって検索された前記商品情報を取引データとして保存部に登録・保存する登録部と、前記購入商品の精算を完了した時に該登録部によって該保存部に登録・保存された取引データ、および、所定の編集規則に基づいてレシート印字内容を編集する第１編集部と、該第１編集部によって編集されたレシート印字内容を印字したレシートを発行するレシート発行部と、前記購入商品の取引に関する各種データを表示する表示部とをそなえて構成される金銭登録装置において、該表示部における表示状態を制御する表示制御部としてコンピュータを機能させるための金銭登録装置用表示制御プログラムであって、
発行済みレシートの印字内容に対応する登録済み取引データを該保存部から読み出すための読出指示に応じて前記登録済み取引データを該保存部から読み出す読出部、および、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部として、該コンピュータを機能させ、
該第２編集部によって編集された明細表示画面を該表示部が表示するように該表示部の表示状態を該コンピュータに制御させることを特徴とする、金銭登録装置用表示制御プログラム。
【請求項５】
購入商品の商品コードを獲得する商品コード獲得部と、該商品コード獲得部によって獲得された前記商品コードに対応する商品情報を検索して読み出す検索部と、該検索部によって検索された前記商品情報を取引データとして保存部に登録・保存する登録部と、前記購入商品の精算を完了した時に該登録部によって該保存部に登録・保存された取引データ、および、所定の編集規則に基づいてレシート印字内容を編集する第１編集部と、該第１編集部によって編集されたレシート印字内容を印字したレシートを発行するレシート発行部と、前記購入商品の取引に関する各種データを表示する表示部とをそなえて構成される金銭登録装置において、該表示部における表示状態を制御する表示制御部としてコンピュータを機能させるための金銭登録装置用表示制御プログラムを記録したコンピュータ読取可能な記録媒体であって、
該金銭登録装置用表示制御プログラムが、
発行済みレシートの印字内容に対応する登録済み取引データを該保存部から読み出すための読出指示に応じて前記登録済み取引データを該保存部から読み出す読出部、および、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部として、該コンピュータを機能させ、
該第２編集部によって編集された明細表示画面を該表示部が表示するように該表示部の表示状態を該コンピュータに制御させることを特徴とする、金銭登録装置用表示制御プログラムを記録したコンピュータ読取可能な記録媒体。
【発明の詳細な説明】
【技術分野】
【０００１】
本発明は、スーパーマーケット，コンビニエンスストアなど各種店舗で用いられるＰＯＳ（Point Of Sales；販売時点情報管理）端末等の金銭登録装置における商品明細（取引内容）の表示方式に係る技術に関し、特に、オペレータが顧客の要望に応じて発行済みレシートを参照しながら登録済みの取引内容を金銭登録装置で変更する際に用いて好適な表示方式を提供するための技術に関する。
【背景技術】
【０００２】
一般に、スーパーマーケット，コンビニエンスストアなどの各種店舗では、ＰＯＳシステム（金銭登録システム）が用いられている。このＰＯＳシステムにおいては、顧客の要望で売上済みの商品を返品したり交換したりする場合、オペレータが、発行済みレシートを参照しながらＰＯＳ端末で登録済みの取引内容の変更（商品の追加，交換，返品など）を行なえるようになっている（例えば下記特許文献１〜３参照）。
【０００３】
上述のようにオペレータがＰＯＳ端末で取引内容の変更を行なう際には、顧客持参の発行済みレシートに印字されたＰＯＳ番号やレシート通番を入力することにより、そのレシートに印字された内容に対応する登録済み商品明細（取引内容，取引データという場合もある）が、ＰＯＳ端末もしくはＰＯＳシステムの記憶部から呼び出されＰＯＳ端末のメインディスプレイに表示される。そして、オペレータは、メインディスプレイに表示された登録済み商品明細と顧客持参の発行済みレシートの印字内容とを対照しながら、ＰＯＳ端末により取引内容の変更操作（追加／交換／返品の操作）を行なう。
【０００４】
ところで、通常の売上時（レジでの精算時）には、ＰＯＳ端末において、オペレータが購入商品に付されたバーコードをスキャナにより読み取り、読み取られたバーコード情報（商品コード）に基づいてデータベースが検索され、そのデータベースから購入商品に対応する商品情報〔品名，単価，値引き情報，バンドル・ミックス・ペアマッチ（以下、ＢＭＰと略記する）商品情報など〕が読み出される。
【０００５】
このとき、ＰＯＳ端末のメインディスプレイ（オペレータに対する表示画面）では、例えば図７に示すように、オペレータが購入商品のバーコードの読取操作を行なった順で購入商品の明細が表示されるとともに、同じ順序（バーコードの読取順）で購入商品の明細がＰＯＳ端末もしくはＰＯＳシステムの記憶部（保存部）に登録される。
そして、ＰＯＳ端末においてオペレータが全ての購入商品のバーコード読取を完了し、さらに顧客から購入代金を受け取って精算を完了すると、レシートが印字・発行され顧客に渡される。
【０００６】
ここで発行されるレシートの印字内容は、図７に示すような、オペレータによるバーコードの読取順ではなく、通常、図８に示すように、ＰＯＳ端末もしくはＰＯＳシステムの記憶部に登録された商品明細を所定の手法で編集されたものとなっている。その編集は、例えば以下のような規則(1)〜(4)に従って行なわれる。
(1)打ち間違い商品（読取間違い商品）の情報を印字しないこと
(2)商品明細（取引データ）を商品分類毎にソートして印字すること
(3)同じ商品を別々に読取・登録した場合、その商品についての明細（取引データ）を一つにまとめて印字するとともに個数印字を行なうこと
(4)ＢＭＰ商品（組合せ価格の商品）を別々に読取・登録した場合、その商品についての明細（取引データ）を連続して印字するとともに値引き額をまとめて印字すること。
【０００７】
例えば図７に示す順序で購入商品の明細が登録されメインディスプレイで表示された場合、その購入商品の明細は、上記規則(1)〜(4)に従って編集され、例えば図８に示すようにレシート２００に印字される。図７では、チョコレート，チーズ，クッキー，たばこ，クッキーの順序で読取・登録を行なった時の、メインディスプレイでの表示状態が示されている。ここでは、２個のクッキーが別々に読取・登録されているほか、チョコレートおよびクッキーが、ＢＭＰ商品であり、３個まとめて購入すると３６０円から３００円に値引きされるものとなっている。
【０００８】
そして、図７に示す順序で読取・登録が行なわれた場合に編集・発行されたレシート２００では、図８に示すように、チーズ，たばこの明細が印字されたあとに、ＢＭＰ商品であるチョコレートおよびクッキーの明細がまとめて印字されている。なお、レシート２００の末尾には、取引を実行したＰＯＳ端末を特定するためのＰＯＳ番号（図８では“0001”）と、そのＰＯＳ端末で実行された取引に対し実行順に付与される取引通番（図８では“0627”）とが印字されている。また、上記記憶部においては、購入商品の明細（取引データ）が、上述のＰＯＳ番号および取引通番に対応付けられて登録されている。
【０００９】
このようなレシート２００を発行した後、そのレシート２００に記録された取引内容についての変更を行なう際には、上述した通り、そのレシート２００に印字されたＰＯＳ番号や取引通番を入力することにより、そのレシート２００に印字された内容に対応する登録済み商品明細が上記記憶部から呼び出されＰＯＳ端末のメインディスプレイに表示される。このとき、メインディスプレイでは、記憶部から呼び出された情報がそのまま表示されるため、図７に示す通常の売上時（レジでの精算時）と同様、オペレータによるバーコードの読取順で商品明細が表示されることになる。
【特許文献１】特開平１０−１８８１４１号公報
【特許文献２】特開平１１−０９６２５５号公報
【特許文献３】特開２０００−３５３２８３号公報
【発明の開示】
【発明が解決しようとする課題】
【００１０】
したがって、従来のＰＯＳ端末において発行済みレシートに記録された取引内容についての変更を行なう際、オペレータは、メインディスプレイに例えば図７のように表示された登録済み商品明細と、顧客持参の発行済みレシートにおける例えば図８のような印字内容とを対照しながら、ＰＯＳ端末により取引内容の変更操作を行なわなければならない。
このとき、レシート印字内容には上述のような編集処理が施されているため、オペレータによる読取操作順序でメインディスプレイに表示された取引データ（表示形式）と顧客持参の発行済みレシートに印字された取引データ（印字形式）とでは、図７および図８に示すように、表示／印字順序や行数が異なっている場合があり、このような場合、オペレータが該当商品をメインディスプレイ上で見つけるのに時間を要し、オペレータによる操作性や検索性の低下を招いている。
【００１１】
また、上述のようにメインディスプレイでの表示形式とレシートでの印字形式とが異なっていると、該当商品の品名に類似した品名の商品が表示されていた場合に、オペレータが、該当商品とは異なる商品を誤って選択してしまう可能性が高く、操作ミスが発生しやすくなる。
本発明は、このような課題に鑑み創案されたもので、オペレータが顧客の要望に応じて発行済みレシートを参照しながら登録済み取引データを変更する際に、オペレータが画面上で該当商品を見つけやすくしオペレータによる操作性や検索性の改善をはかるとともに、オペレータが該当商品とは異なる商品を誤って選択してしまう可能性を低くして操作ミスの発生を確実に防止することを目的としている。
【課題を解決するための手段】
【００１２】
上記目的を達成するために、本発明の金銭登録装置（請求項１）は、購入商品の商品コードを獲得する商品コード獲得部と、該商品コード獲得部によって獲得された前記商品コードに対応する商品情報を検索して読み出す検索部と、該検索部によって検索された前記商品情報を取引データとして保存部に登録・保存する登録部と、前記購入商品の精算を完了した時に、該登録部によって該保存部に登録・保存された取引データ、および、所定の編集規則に基づいて、レシート印字内容を編集する第１編集部と、該第１編集部によって編集されたレシート印字内容を印字したレシートを発行するレシート発行部と、前記購入商品の取引に関する各種データを表示する表示部と、該表示部における表示状態を制御する表示制御部と、発行済みレシートの印字内容に対応する登録済み取引データを該保存部から読み出すための読出指示を入力する読出指示入力部と、該読出指示入力部からの読出指示に応じて前記登録済み取引データを該保存部から読み出す読出部と、該読出部によって該保存部から読み出された前記登録済み取引データ、および、前記所定の編集規則に基づいて、前記発行済みレシートの印字内容における商品の印字順序と同一順序となるように明細表示画面を編集する第２編集部とをそなえ、該表示制御部が、該第２編集部によって編集された明細表示画面を該表示部に表示させるように該表示部の表示状態を制御することを特徴としている。
【００１３】
このとき、該第２編集部が、まず、前記明細表示画面として、当該印字内容を簡略的に表示する簡略表示画面を編集し、該表示制御部が、当該簡易表示画面を該表示部に表示させるように該表示部の表示状態を制御してから、該第２編集部が、前記明細表示画面として、当該印字内容を正式に表示する正式表示画面を編集・復元し、該表示制御部が、当該正式表示画面を該表示部に表示させるように該表示部の表示状態を制御してもよい（請求項２）。
【００１４】
また、本発明の金銭登録システム（請求項３）は、各商品についての商品情報を各商品の商品コードに対応付けて保存する商品情報データベースと、購入商品の商品コードを獲得する商品コード獲得部と、該商品コード獲得部によって獲得された前記商品コードに対応する商品情報を該商品情報データベースから検索して読み出す検索部と、該検索部によって検索された前記商品情報を取引データとして保存部に登録・保存する登録部と、前記購入商品の精算を完了した時に、該登録部によって該保存部に登録・保存された取引データ、および、所定の編集規則に基づいて、レシート印字内容を編集する第１編集部と、該第１編集部によって編集されたレシート印字内容を印字したレシートを発行するレシート発行部と、前記購入商品の取引に関する各種データを表示する表示部と、該表示部における表示状態を制御する表示制御部と、発行済みレシートの印字内容に対応する登録済み取引データを該保存部から読み出すための読出指示を入力する読出指示入力部と、該読出指示入力部からの読出指示に応じて前記登録済み取引データを該保存部から読み出す読出部と、該読出部によって該保存部から読み出された前記登録済み取引データ、および、前記所定の編集規則に基づいて、前記発行済みレシートの印字内容における商品の印字順序と同一順序となるように明細表示画面を編集する第２編集部とをそなえ、該表示制御部が、該第２編集部によって編集された明細表示画面を該表示部に表示させるように該表示部の表示状態を制御することを特徴としている。
【００１５】
さらに、本発明の金銭登録装置用表示制御プログラム（請求項４）は、上述した商品コード獲得部，検索部，登録部，第１編集部，レシート発行部および表示部をそなえて構成される金銭登録装置において、該表示部における表示状態を制御する表示制御部としてコンピュータを機能させるためのものであって、発行済みレシートの印字内容に対応する登録済み取引データを該保存部から読み出すための読出指示に応じて、前記登録済み取引データを該保存部から読み出す読出部と、該読出部によって該保存部から読み出された前記登録済み取引データ、および、前記所定の編集規則に基づいて、前記発行済みレシートの印字内容における商品の印字順序と同一順序となるように明細表示画面を編集する第２編集部として、該コンピュータを機能させ、該第２編集部によって編集された明細表示画面を該表示部が表示するように該表示部の表示状態を該コンピュータに制御させることを特徴としている。そして、本発明のコンピュータ読取可能な記録媒体（請求項５）は、上述した金銭登録装置用表示制御プログラムを記録したものである。
【発明の効果】
【００１６】
上述した本発明によれば、オペレータが顧客の要望に応じて発行済みレシートを参照しながら登録済み取引データを変更する際には、発行済みレシートの印字内容における商品の印字順序と同一順序となるように明細表示画面が編集され、その明細表示画面が金銭登録装置の表示部で表示される。つまり、金銭登録装置の表示部において、その発行済みレシートの印字内容における商品の印字順序と同一順序で登録済み取引データが表示されるので、オペレータが画面上で該当商品を見つけやすくなり、オペレータによる操作性や検索性が大幅に改善され、顧客の要望に従った追加／交換／返品の操作を行ないやすくなり、顧客の利便性も高まる。
【００１７】
また、上述のように金銭登録装置の画面上でレシートの印字内容における商品の印字順序と同一順序で登録済み取引データが表示されるので、該当商品の品名に類似した品名の商品が表示されていても、オペレータが、該当商品とは異なる商品を誤って選択してしまう可能性を低くすることができ、操作ミスの発生を確実に防止することができる。
【発明を実施するための最良の形態】
【００１８】
以下、図面を参照して本発明の実施の形態を説明する。
〔１〕本発明の一実施形態の説明
図１は本発明の一実施形態としての金銭登録装置（ＰＯＳ端末）を含む金銭登録システム（ＰＯＳシステム）の機能的な構成を示すブロック図で、この図１に示すように、本実施形態のＰＯＳ端末（金銭登録装置）１は、ＣＰＵ１０，バーコードスキャナ２０，記憶部３０，タッチパネル４０，レシートプリンタ５０，ジャーナルプリンタ６０，メインディスプレイ７０およびカスタマディスプレイ８０をそなえて構成され、商品情報データベース２に接続されている。
【００１９】
ここで、商品情報データベース２においては、ＰＯＳ端末１を設置された店舗等における取引対象の商品についての商品情報（例えば、品名，単価，値引き情報，ＢＭＰ商品情報など）が、各商品１００の商品コードに対応付けられて保存されている。この商品情報データベース２は、ＰＯＳ端末１から、ＬＡＮ（Local Area Network）などのネットワークを介して、もしくは、直接的にアクセス可能に、ＰＯＳ端末１に接続され、通常、複数のＰＯＳ端末１によって共用される。なお、ＰＯＳ端末１を１台のみそなえるようなＰＯＳシステムにおいては、商品情報データベース２をＰＯＳ端末１内にそなえてもよい。
【００２０】
バーコードスキャナ（商品コード獲得部）２０は、顧客による購入商品１００に付されたバーコード１０１から、その商品１００の商品コードをバーコード情報として読み取って獲得するものである。
記憶部（保存部）３０は、ＰＯＳ端末１に内蔵される例えばＲＡＭ，ハードディスク等の記憶装置によって実現されるもので、後述するごとく、通常売上時や取引データ変更後に取引データを登録／再登録されて保存するものである。この記憶部３０においては、各取引データが、その取引データを特定しうる取引特定情報に対応付けられて登録されている。取引特定情報は、例えば、取引を実行したＰＯＳ端末１を特定するＰＯＳ番号（装置番号）、および、そのＰＯＳ端末１で実行された取引に対し実行順に付与される取引通番である。なお、本実施形態では、記憶部３０としてＰＯＳ端末１内の記憶装置を用いているが、記憶部３０としてＰＯＳ端末１の外部にそなえられた記憶装置を用いてもよい。この場合、記憶部３０としての外部記憶装置は、上述した商品情報データベース２と同様、ＰＯＳ端末１から、ＬＡＮなどのネットワークを介して、もしくは、直接的にアクセス可能に、ＰＯＳ端末１に接続され、複数のＰＯＳ端末１によって共用されるようになっている。また、ＰＯＳ端末１を１台のみそなえるようなＰＯＳシステムにおいては、取引特定情報として、取引通番のみを用いてもよい。
【００２１】
タッチパネル（キーボード）４０は、オペレータによって押下操作され、ＰＯＳ端末１（ＣＰＵ１０）に対し各種指示や数値の入力を行なうもので、本実施形態のタッチパネル４０には、少なくとも、通番設定キー４１，テンキー４２，登録キー４３およびクリアキー４４がそなえられている。
通番設定キー４１は、発行済みレシート２００の印字内容に対応する登録済み取引データを記憶部３０から読み出すための読出指示をＣＰＵ１０に入力する読出指示入力部として機能するものである。より具体的に、通番設定キー４１は、オペレータが顧客の要望に応じて発行済みレシート２００を参照しながら登録済み取引データを変更すべく、発行済みレシート２００の印字内容に対応する登録済み取引データ（過去の取引データ）を記憶部３０から読み出す際に、オペレータによって押下され、その登録済み取引データの読出指示をＣＰＵ１０に対して行なう。
【００２２】
テンキー４２は、オペレータによって押下され、各種数値データをＣＰＵ１０に入力するためのもので、本実施形態では、通番設定キー４１を操作して読出指示の入力を行なった際に、発行済みレシート２００に印字された取引特定情報（前述したＰＯＳ番号および取引通番）をＣＰＵ１０に入力するために用いられる。
登録キー４３は、例えば、テンキー４２によって数値入力を行なった際にその入力値を確定する場合にオペレータによって押下されるもので、テンキー４２による数値入力を行なった後に登録キー４３を押下することにより、その入力値が確定されＣＰＵ１０に入力されるようになっている。また、本実施形態において、登録キー４３は、後述するごとく、メインディスプレイ７０で簡略表示画面（図３参照）を表示した後（図２のステップＳ２０参照）に、対応する登録済み取引データを記憶部３０から取り消すための取消指示をＣＰＵ１０に入力する取消指示入力部としても機能するように構成されている。
【００２３】
クリアキー４４は、テンキー４２，その他のキーによる入力を行なった後、その入力を取り消す場合にオペレータによって押下されるものである。
レシートプリンタ（レシート発行部）５０は、ＣＰＵ１０によって制御され、通常売上時に、後述する編集部１３によって編集されたレシート印字内容（例えば図８参照）を印字したレシート２００を発行するものである。
【００２４】
ジャーナルプリンタ６０は、ＣＰＵ１０によって制御され、ＰＯＳ端末１において顧客との取引に伴う操作が行なわれる都度、その取引や操作についての情報をジャーナル用紙（図示省略）に印字することにより、その取引や操作の履歴を記録するものである。
メインディスプレイ（表示部）７０は、ＣＰＵ１０（後述する表示制御部１４）によって制御され、オペレータに対し、購入商品１００の取引に関する各種データを表示するもので、本実施形態のメインディスプレイ７０では、通常売上時（図２のステップＳ１１参照）に図７に示すような明細表示画面が表示される一方で、通番読出時（図２のステップＳ２０参照）に図３に示すような明細表示画面（簡略表示画面）が表示され、明細復元後（図２のステップＳ２５参照）に表示される明細表示画面（正式表示画面）が表示されるようになっている。
【００２５】
カスタマディスプレイ８０は、ＣＰＵ１０（後述する表示制御部１４）によって制御され、顧客に対し、購入商品１００の取引に関する各種データを表示するものである。
そして、ＣＰＵ１０は、ＰＯＳ端末１の全体を統括的に管理するもので、本実施形態では、後述するごとく提供される所定のアプリケーションプログラム（金銭登録装置用表示制御プログラム）を実行することにより、検索部１１，登録部１２，編集部１３，表示制御部１４，読出部１５，取消部１６および変更部１７としての機能を果たすように構成されている。
【００２６】
検索部１１は、バーコードスキャナ２０によって読み取られた商品コード（バーコード情報）に対応する商品情報を商品情報データベース２から検索して読み出すものである。
登録部１２は、検索部１１によって検索され商品情報データベース２から読み出された商品情報を、バーコードスキャナ２０による商品コードの読取順に取引データとして記憶部３０に登録・保存するものである。その際、前述したように、取引データは、その取引を実行したＰＯＳ端末１を特定するＰＯＳ番号、および、そのＰＯＳ端末１で実行された取引に付与される取引通番に対応付けられて、記憶部３０に登録される。また、登録部１２は、後述する変更部１７によって変更された取引データを記憶部３０に再度登録・保存する機能も果たす。
【００２７】
編集部１３は、後述する第１編集部としての機能と、後述する第２編集部としての機能とを併せもっている。つまり、本実施形態のＣＰＵ１０（編集部１３）においては、第１編集部としての機能と第２編集部としての機能とが共通化されている。
編集部１３の第１編集部としての機能は、従来からそなえられる機能で、通常売上時において購入商品１００の精算を完了した時に、登録部１２によって記憶部３０に登録・保存された取引データ、および、所定の編集規則に基づいて、レシート印字内容を編集する機能である。より具体的には、図７および図８を参照しながら上述したごとく、レシートプリンタ５０によって発行されるレシート２００の印字内容は、その第１編集部としての機能により、図８に示すように、記憶部３０に登録された取引データを所定の編集規則に従って編集される。その編集規則は、例えば、上述したものと同様の下記規則(1)〜(4)に従うものである。
【００２８】
(1)打ち間違い商品（読取間違い商品）の情報を印字しないこと
(2)取引データを商品分類毎にソートして印字すること
(3)同じ購入商品を別々に読取・登録した場合に、その購入商品についての取引データを一つにまとめて印字するとともに個数印字を行なうこと
(4)ＢＭＰ商品（組合せ価格の商品）を別々に読取・登録した場合に、その商品の取引データを連続して印字するとともに値引き額をまとめて印字すること。
【００２９】
また、第１編集部として機能する編集部１３は、図８に示すごとくレシート２００の末尾に取引特定情報としてのＰＯＳ番号および取引通番が印字されるように、レシート印字内容を編集するようになっている。
編集部１３の第２編集部としての機能は、本発明の特徴的な機能で、取引データの変更時に、後述する読出部１５によって記憶部３０から読み出された登録済み取引データ、および、前記所定の編集規則(1)〜(4)に基づいて、発行済みレシート２００の印字内容における商品の印字順序と同一順序となるように明細表示画面（簡易表示画面，正式表示画面）を編集する機能である。ここで、第２編集部として機能する編集部１３は、まず、当該印字内容を簡略的に表示する簡略表示画面（図３参照）を前記明細表示画面として編集し、登録キー４３による取消指示に応じて、当該印字内容を正式に表示する正式表示画面（図４参照）を前記明細表示画面として編集・復元するようになっている。
【００３０】
表示制御部１４は、メインディスプレイ７０およびカスタマディスプレイ８０における表示状態を制御するもので、特に、本実施形態では、取引データの変更時に、メインディスプレイ７０における表示状態を以下のように制御するようになっている。つまり、表示制御部１４は、まず、編集部（第２編集部）１３によって編集された簡略表示画面（図３参照）を明細表示画面としてメインディスプレイ７０に表示させるようにディスプレイ７０の表示状態を制御してから、登録キー４３による取消指示に応じて、編集部（第２編集部）１３によって編集された正式表示画面（図４参照）を明細表示画面としてメインディスプレイ７０に表示させるようにディスプレイ７０の表示状態を制御する。
【００３１】
読出部１５は、通番設定キー４１による読出指示に応じて、登録済み取引データを記憶部３０から読み出すもので、テンキー４２により入力されたＰＯＳ番号および取引通番に従い、これらのＰＯＳ番号および取引通番に対応付けられた取引データを登録済み取引データとして読み出すようになっている。
取消部１６は、登録キー４３による取消指示に応じて、記憶部３０から読み出された登録済み取引データを記憶部３０から取り消すものである。
【００３２】
変更部１７は、オペレータがメインディスプレイ７０における正式表示画面を参照しながらタッチパネル４０等を操作して登録済み取引データに対する変更指示を行なった場合に、その変更指示に応じて、メインディスプレイ７０に表示された正式表示画面上で登録済み取引データに対する所望の変更操作を行なうものである。そして、変更部１７によって変更された取引データは、前述したように、登録部１２によって、記憶部３０に再度登録・保存されるようになっている。
【００３３】
次に、図２〜図８を参照しながら、上述のごとく構成された本実施形態のＰＯＳ端末１における通番取消・修正（登録済み取引データの変更）の手順について説明する。なお、ここでいう通番修正とは、過去の取引データを通番指定（ここではＰＯＳ番号および取引通番の指定）によって呼び出し、売上数，値引などの打ち間違いの修正や、顧客の要望に応じた変更を行なうことである。
【００３４】
図２はＰＯＳ端末１における通番取消・修正時つまり登録済み取引データの変更時のオペレーションフローを示す図で、この図２に示すオペレーションフロー（ステップＳ１１〜Ｓ２８）に従って、登録済み取引データの変更手順について説明する。なお、図２において、ステップＳ１２〜Ｓ１６，Ｓ２２，Ｓ２６，Ｓ２７は、オペレータによってタッチパネル４０等を操作することによって実行される指示・入力ステップであり、ステップＳ１７〜Ｓ２１，Ｓ２３〜Ｓ２５，Ｓ２８は、ＰＯＳ端末１側で実行される処理ステップである。
【００３５】
まず、購入商品１００についての精算を行なう通常売上時（ステップＳ１１）には、ＰＯＳ端末１において、オペレータが購入商品１００に付されたバーコード１０１をバーコードスキャナ２０により読み取り、読み取られたバーコード情報（商品コード）に基づいて検索部１１により商品情報データベース２が検索され、その商品情報データベース２から購入商品１０１に対応する商品情報（品名，単価，値引き情報，ＢＭＰ商品情報など）が読み出される。このとき、ＰＯＳ端末１のメインディスプレイ７０では、例えば図７に示すように、オペレータが購入商品１０１のバーコードの読取操作を行なった順で購入商品１０１の明細（取引データ）が表示されるとともに、同じ順序（バーコードの読取順）で購入商品１０１の明細が記憶部３０に登録される。
【００３６】
ここで、図５は、ＰＯＳ端末１（ＣＰＵ１０）における通常売上時の売上登録処理機能（検索部１１，登録部１２の機能）およびメイン画面コントロール機能（表示制御部１４の機能）について説明するための図である。この図５に示すように、ＣＰＵ１０においては、商品登録メイン処理〔ItemProcess()〕として、商品検索（Lookup），商品登録（AddItem），メイン画面表示依頼（AddItem）およびカスタマ表示依頼が行なわれる。メイン画面表示依頼は、購入商品１００の読取毎にその購入商品１００の明細をメインディスプレイ７０に読取順に表示させるべく表示制御部１４に対して行なわれるもので、メイン画面表示依頼を受けた表示制御部１４は、商品検索結果（商品情報）に基づいて登録明細表示データを作成・描画し、メインディスプレイ７０に商品登録明細（図５，図７参照）を表示させている。登録明細表示データとしては、例えば、品名データ，税区分データ，単価データ，数量データ，値引合計額データ，明細合価データなどが設定・作成される。
【００３７】
そして、ＰＯＳ端末１においてオペレータが全ての購入商品１００のバーコード１０１の読取を完了し、さらに顧客から購入代金を受け取って精算を完了すると、レシート２００がレシートプリンタ５０によって印字・発行され顧客に渡され、通常売上（ステップＳ１１）を終了する。
なお、ここで発行されるレシート２００の印字内容は、図７に示すような、オペレータによるバーコード１０１の読取順ではなく、記憶部３０に登録された、購入商品１００毎の取引データを、上記編集規則(1)〜(4)に従って編集したものとなっている。つまり、前述した通り、例えば図７に示す順序で購入商品１００の取引データが登録されメインディスプレイ７０で表示された場合、レシート２００では、図８に示すように、チーズ，たばこの明細が印字されたあとに、ＢＭＰ商品であるチョコレートおよびクッキーの明細がまとめて印字される。また、レシート２００の末尾には、取引を実行したＰＯＳ端末１を特定するためのＰＯＳ番号（図８では“0001”）と、そのＰＯＳ端末１で実行された取引に対し実行順に付与される取引通番（図８では“0627”）とが印字されている。
【００３８】
さて、上述のようなレシート２００を発行した後、そのレシート２００に記録された取引データ（つまり記憶部３０に登録された登録済み取引データ）についての変更を行なう際、その変更依頼を顧客から受けたオペレータは、タッチパネル４０の通番設定キー４１を押下し、発行済みレシート２００の印字内容に対応する登録済み取引データを記憶部３０から読み出すための読出指示をＣＰＵ１０に入力する（ステップＳ１２）。
【００３９】
オペレータによって通番設定キー４１が押下されると、メインディスプレイ７０で取引特定情報（ＰＯＳ番号および取引通番）を入力するための案内画面（図示省略）が表示され、オペレータは、その案内画面に従い、テンキー４２および登録キー４３を操作することにより、取引特定情報を入力する（ステップＳ１３〜Ｓ１６）。
このとき、オペレータは、まず、テンキー４２を用いてレシート２００に印字されているＰＯＳ番号を入力し（ステップＳ１３）、そのＰＯＳ番号を確定する場合には登録キー４３を押下する（ステップＳ１４）。ステップＳ１３で入力したＰＯＳ番号を訂正・変更する場合には、オペレータは、クリアキー４４を押下し、テンキー４２によりＰＯＳ番号を入力しなおす。
【００４０】
ＰＯＳ番号を確定した後、オペレータは、テンキー４２を用いてレシート２００に印字されている取引通番を入力し（ステップＳ１５）、その取引通番を確定する場合には登録キー４３を押下する（ステップＳ１６）。ステップＳ１５で入力した取引通番を訂正・変更する場合には、オペレータは、クリアキー４４を押下し、テンキー４２により取引通番を入力しなおす。
【００４１】
なお、複数のＰＯＳ端末１をそなえたＰＯＳシステムでは、レシート２００の印字内容に対応する取引データを読み出すために、その取引データを登録したＰＯＳ端末１を特定する必要があるため、取引特定情報としてＰＯＳ番号を入力している。しかし、例えばＰＯＳ端末１を１台のみそなえたＰＯＳシステムのようにＰＯＳ端末１を特定する必要がない場合には、ＰＯＳ番号を入力するためのステップＳ１３，Ｓ１４を省略してもよい。その場合、メインディスプレイ７０では、取引通番の入力のみをオペレータに促す案内画面が表示される。
【００４２】
上述のようにして取引特定情報（ＰＯＳ番号および取引通番）が入力されると、ＣＰＵ１０（読出部１５）により、その取引特定情報によって特定される取引データ（読出対象取引データ）が、自ＰＯＳ端末１もしくは他ＰＯＳ端末１の記憶部３０に保存されているか否かを判断し（ステップＳ１７）、保存されている場合（ステップＳ１７のＹＥＳルート）、その読出対象取引データが、変更対象外の取引（例えば、取消，返品等）に係るものであるか否かを判断する（ステップＳ１８）。読出対象取引データが記憶部３０に保存されていない場合（ステップＳ１７のＮＯルート）や変更対象外の取引に係るものである場合（ステップＳ１８のＹＥＳルート）には、メインディスプレイ７０等を通じてオペレータに対しエラー通知が行なわれる（ステップＳ１９）。
【００４３】
読出対象取引データが、記憶部３０に保存され（ステップＳ１７のＹＥＳルート）、且つ、変更対象外の取引に係るものではない場合（ステップＳ１８のＮＯルート）には、読出部１５によって、入力された取引特定情報に対応付けられた取引データ（つまり発行済みレシート２００の印字内容対応する登録済み取引データ）が記憶部３０から読み出される（ステップＳ２０）。このとき、登録済み取引データが他のＰＯＳ端末１の記憶部３０に保存されている場合には、ネットワーク等を介してそのＰＯＳ端末１の記憶部３０から読み出されることになる。
【００４４】
そして、読出部１５によって記憶部３０から読み出された登録済み取引データは、編集部１３により、上記編集規則(1)〜(4)に従って編集され、発行済みレシート２００の印字内容における商品の印字順序と同一順序となるように、明細表示画面（図３参照）が、表示制御部１４により、メインディスプレイ７０で表示される。つまり、一旦、記憶部３０から取り消すべき取引データ（取消取引）がメインディスプレイ７０に簡略的に表示される（ステップＳ２１）。
【００４５】
ステップＳ２１で表示される明細表示画面は、図３に示すように、各取引データにおける単価表示を全て「＊＊＊」とした簡略表示画面である。この簡略表示画面では、上記編集規則(1)〜(4)により、レシート２００の印字順序と同一になるように取引データが並べ替えられるとともに、ＢＭＰ商品について、まとめ表示が行なわれている。また、このとき、後述するステップＳ２５で商品明細（取引データ）の復元・表示を行なうべく、発行済みレシート２００の印字内容における商品の印字順序と同一順序の復元リストが作成される。なお、図３では、ＰＯＳ端末１において通番読出時にメインディスプレイ７０で表示される簡略表示画面の一例が、レシート２００の印字内容に対応させて図示されている。
【００４６】
ここで、図６は、ＰＯＳ端末１（ＣＰＵ１０）における通番取消・修正時の通番取消・修正処理機能（編集部１３，読出部１５，取消部１６の機能）およびメイン画面コントロール機能（表示制御部１４の機能）について説明するための図である。この図６に示すように、ＣＰＵ１０においては、レジ番号登録（ＰＯＳ番号の入力；ステップＳ１３，Ｓ１４）および元取引通番登録（取引通番の入力；ステップＳ１５，Ｓ１６）が行なわれると、取消取引読出し（登録済み取引データの読出；ステップＳ１７〜Ｓ２０）が行なわれる。そして、取消取引（つまり登録済み取引データ）に対する、まとめ処理やＢＭＰソート処理が編集部１３によって行なわれた後、取消取引メイン画面更新が行なわれる。まとめ処理やＢＭＰソート処理は、レシート２００の発行時に行なわれる処理（レシート印字明細のまとめ処理やＢＭＰ処理）と同等のものである。
【００４７】
上記まとめ処理について、より詳細に説明すると、このまとめ処理は、基本的に、同一商品に関する情報（値引き等の単品情報も含む）をまとめて印字／表示するように取引データを編集する処理である。まとめ印字／表示の対象となる取引データは、例えば以下の項目(a)〜(c)の通りであり、まとめ印字／表示の対象外となる取引データは、例えば以下の項目(d)，(e)の通りである。
【００４８】
(a)単品明細（商品１００に付されたバーコード１０１をスキャンすることによって得られた取引データ）は、まとめ対象とする
(b)値引き方法（マニュアル値引き／自動値引き），値引き額の両方が同じである値引き商品（マニュアル値引き／自動値引き）の取引データは、まとめ対象とする
(c)売価変更後価格が等しい売価変更商品の取引データは、まとめ対象とする
(d)ＢＭＰ商品やセット販売商品の取引データは、まとめ対象外とする（なお、ＢＭＰ商品の取引データはＢＭＰソート対象となる）
(e)小数点登録商品（はかり売り商品）の取引データは、まとめ対象外とする。
【００４９】
なお、読み出された登録済み取引データ（取引明細）は明細復元情報として格納され、前述した復元リストが作成される。また、上記の取消取引メイン画面更新や取引明細格納に際しては、まとめ処理／ＢＭＰソート処理を施されたアイテム（Item）が使用される。
上記取消取引メイン画面更新の指示は、表示制御部１４に対して行なわれ、その指示を受けた表示制御部１４は、編集部１３によるまとめ処理／ＢＭＰソート処理結果を受け、図８に示すレシート２００の印字内容における商品の印字順序と同一順序で取引データを表示するように、登録明細表示データを作成・描画し、メインディスプレイ７０に商品登録明細（簡略表示明細；図３，図６参照）を表示させている。このとき、前述したように、その商品登録明細（簡略表示明細）では、単価表示が全て「＊＊＊」に設定されている。
【００５０】
このような商品登録明細（簡略表示明細）がメインディスプレイ７０に表示されると、オペレータは、その表示内容を発行済みレシート２００の印字内容とともに参照し、読み出された登録済み取引データが変更対象（発行済みレシート２００の印字内容と同一）であることを確認すると、登録キー４３を押下する（ステップＳ２２）。なお、読み出された登録済み取引データが変更対象でない場合には、オペレータは、クリアキー４４を押下し、今回の処理を終了するか、ＰＯＳ番号や取引通番の再入力を行なう。
【００５１】
ステップＳ２２で登録キー４３が押下されると、取消部１６により、今回の変更対象である登録済み取引データが記憶部３０から取り消され（通番取消；ステップＳ２３）、通番取消を行なった旨が、レシートプリンタ５０およびジャーナルプリンタ６０によりレシートやジャーナル用紙にそれぞれ印字されて記録される（ステップＳ２４）。
この後、編集部１３により、復元リストとして格納された明細情報（登録済み取引データ）に基づいて、商品明細が正式表示画面（図４参照）として編集・復元され、その正式表示画面が、表示制御部１４により、メインディスプレイ７０に表示される（ステップＳ２５）。このとき、正式表示画面においても、登録済み取引データが、発行済みレシート２００の印字内容における商品の印字順序と同一順序で表示される。また、簡略表示画面で「＊＊＊」と簡略表示されていた単価表示も、正式表示画面では、図４に示すように正式な数値を設定されて表示されている。
【００５２】
そして、オペレータは、ステップＳ２５でメインディスプレイ７０に表示された明細と発行済みレシート２００の印字内容とを比較・対照しながら、売上数，値引などの打ち間違いの修正内容や、顧客の要望に応じた変更内容を、テンキー４２等を用いて入力し（ステップＳ２６）、テンキー４２等によって入力された修正・変更内容を確定する場合には登録キー４３を押下する（ステップＳ２７）。ステップＳ２６で入力された修正・変更内容を訂正する場合には、オペレータは、クリアキー４４を押下し、テンキー４２等により修正・変更内容を入力しなおす。ステップＳ２７で修正・変更内容が確定されると、変更部１７により、ステップＳ２６で入力された修正・変更内容に応じた変更操作が登録済み取引データに対して行なわれ、このように変更された取引データが、登録部１２によって、記憶部３０に再度登録・保存される（ステップＳ２８）。
【００５３】
このように、本発明の一実施形態としてのＰＯＳ端末１によれば、オペレータが発行済みレシート２００を参照しながら通番修正／登録済み取引データ変更を行なう際に、発行済みレシート２００の印字内容における商品の印字順序と同一順序となるように明細表示画面（図３，図４参照）が編集され、その明細表示画面がＰＯＳ端末１のメインディスプレイ７０で表示される。
【００５４】
つまり、ＰＯＳ端末１のメインディスプレイ７０において、発行済みレシート２００の印字内容における商品の印字順序と同一順序で登録済み取引データが表示されるので、オペレータがメインディスプレイ７０上で該当商品（変更・修正対象商品）を見つけやすくなり、オペレータによる操作性や検索性が大幅に改善され、顧客の要望に従った追加／交換／返品の操作を行ないやすくなり、顧客の利便性も高まる。
【００５５】
また、図３，図４，図８に示すようにＰＯＳ端末１のメインディスプレイ７０上でレシート２００の印字内容における商品の印字順序と同一順序で登録済み取引データが表示されるので、メインディスプレイ７０上で該当商品の品名に類似した品名の商品が表示されていても、オペレータが、該当商品とは異なる商品を誤って選択してしまう可能性を低くすることができ、操作ミスの発生を確実に防止することができる。
【００５６】
〔２〕その他
なお、本発明は上述した実施形態に限定されるものではなく、本発明の趣旨を逸脱しない範囲で種々変形して実施することができる。
また、上述した実施形態では、商品１００に付されたバーコード１０１を読み取って商品コードを獲得する場合について説明したが、本発明は、これに限定されるものではなく、バーコードに代えて例えばＩＣタグ，無線タグ等を商品１００に付し、これらのタグから商品コードを獲得するように構成してもよい。
【００５７】
さらに、上述した検索部１１，登録部１２，編集部１３，表示制御部１４，読出部１５，取消部１６および変更部１７としての機能（各手段の全部もしくは一部の機能）は、ＰＯＳ端末１を成すＣＰＵ１０（コンピュータ）が所定のアプリケーションプログラム（金銭登録装置用表示用制御プログラム）を実行することによって実現される。
そのプログラムは、例えばフレキシブルディスク，ＣＤ−ＲＯＭ，ＣＤ−Ｒ，ＣＤ−ＲＷ，ＤＶＤ等のコンピュータ読取可能な記録媒体に記録された形態で提供される。この場合、コンピュータ（ＣＰＵ１０）はその記録媒体からＰＯＳ端末用表示用制御プログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信回線を介してコンピュータに提供するようにしてもよい。
【００５８】
ここで、コンピュータとは、ハードウエアとＯＳ（オペレーティングシステム）とを含む概念であり、ＯＳの制御の下で動作するハードウエアを意味している。また、ＯＳが不要でアプリケーションプログラム単独でハードウェアを動作させるような場合には、そのハードウェア自体がコンピュータに相当する。ハードウエアは、少なくとも、ＣＰＵ等のマイクロプロセッサと、記録媒体に記録されたコンピュータプログラムを読み取るための手段とをそなえている。上記ＰＯＳ端末用表示用制御プログラムとしてのアプリケーションプログラムは、上述のようなコンピュータに、検索部１１，登録部１２，編集部１３，表示制御部１４，読出部１５，取消部１６および変更部１７としての機能を実現させるプログラムコードを含んでいる。また、その機能の一部は、アプリケーションプログラムではなくＯＳによって実現されてもよい。
【００５９】
さらに、本実施形態における記録媒体としては、上述したフレキシブルディスク，ＣＤ−ＲＯＭ，ＣＤ−Ｒ，ＣＤ−ＲＷ，ＤＶＤ，磁気ディスク，光ディスク，光磁気ディスクのほか、ＩＣカード，ＲＯＭカートリッジ，磁気テープ，パンチカードや、コンピュータ内部の記憶装置（例えばＲＡＭ，ＲＯＭ，ハードディスク）や、コンピュータに接続される外部記憶装置や、バーコードなどの符号が印刷された印刷物等の、コンピュータ読取可能な種々の媒体を利用することもできる。
【００６０】
〔３〕付記
（付記１）
購入商品の商品コードを獲得する商品コード獲得部と、
該商品コード獲得部によって獲得された前記商品コードに対応する商品情報を検索して読み出す検索部と、
該検索部によって検索された前記商品情報を取引データとして保存部に登録・保存する登録部と、
前記購入商品の精算を完了した時に、該登録部によって該保存部に登録・保存された取引データ、および、所定の編集規則に基づいて、レシート印字内容を編集する第１編集部と、
該第１編集部によって編集されたレシート印字内容を印字したレシートを発行するレシート発行部と、
前記購入商品の取引に関する各種データを表示する表示部と、
該表示部における表示状態を制御する表示制御部と、
発行済みレシートの印字内容に対応する登録済み取引データを該保存部から読み出すための読出指示を入力する読出指示入力部と、
該読出指示入力部からの読出指示に応じて前記登録済み取引データを該保存部から読み出す読出部と、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部とをそなえ、
該表示制御部が、該第２編集部によって編集された明細表示画面を該表示部に表示させるように該表示部の表示状態を制御することを特徴とする、金銭登録装置。
【００６１】
（付記２）
該第２編集部が、まず、前記明細表示画面として、当該印字内容を簡略的に表示する簡略表示画面を編集し、該表示制御部が、当該簡易表示画面を該表示部に表示させるように該表示部の表示状態を制御してから、
該第２編集部が、前記明細表示画面として、当該印字内容を正式に表示する正式表示画面を編集・復元し、該表示制御部が、当該正式表示画面を該表示部に表示させるように該表示部の表示状態を制御することを特徴とする、付記１記載の金銭登録装置。
【００６２】
（付記３）
該表示部での前記簡略表示画面の表示後に前記登録済み取引データを該保存部から取り消すための取消指示を入力する取消指示入力部と、
該取消指示入力部からの取消指示に応じて前記登録済み取引データを該保存部から取り消す取消部とをそなえ、
該消去指示入力部からの取消指示に応じて、該第２編集部が前記正式表示画面の編集・復元を行なうとともに該表示制御部が当該正式表示画面を該表示部に表示させるように該表示部の表示状態を制御することを特徴とする、付記２記載の金銭登録装置。
【００６３】
（付記４）
該表示部に表示された前記正式表示画面上で前記登録済み取引データに対する所望の変更操作を行なう変更部をそなえ、
該登録部が、該変更部によって変更された取引データを該保存部に再度登録・保存することを特徴とする、付記３記載の金銭登録装置。
【００６４】
（付記５）
該保存部において、取引データと、その取引データを特定する取引特定情報とが対応付けられて登録され、
該レシート発行部が、前記レシート印字内容を印字するとともに前記発行済みレシートに印字された取引データに対応する取引特定情報を印字したレシートを発行し、
該読出指示入力部が、前記読出指示とともに、前記発行済みレシートに印字された取引特定情報を入力し、
該読出部が、該読出指示入力部からの取引特定情報に対応付けられた取引データを前記登録済み取引データとして該保存部から読み出すことを特徴とする、付記１〜付記４のいずれか一項に記載の金銭登録装置。
【００６５】
（付記６）
前記取引特定情報が、レシートを発行した金銭登録装置を特定する装置番号、および、その金銭登録装置で実行された取引に付与される通番であることを特徴とする、付記５記載の金銭登録装置。
（付記７）  前記所定の編集規則として、
(1)取引データを商品分類毎にソートすること、
(2)同じ購入商品を別々に読取・登録した場合にその購入商品についての取引データを一つにまとめて印字／表示するとともに個数の印字／表示を行なうこと、
(3)前記購入商品としてバンドル・ミックス・ペアマッチ商品を別々に読取・登録した場合にその商品の取引データを連続して印字／表示するとともに値引き額をまとめて印字／表示すること、が含まれていることを特徴とする、付記１〜付記６のいずれか一項に記載の金銭登録装置。
【００６６】
（付記８）
該第１編集部と該第２編集部とが共通化されていることを特徴とする、付記１〜付記７のいずれか一項に記載の金銭登録装置。
（付記９）
各商品についての商品情報を各商品の商品コードに対応付けて保存する商品情報データベースと、
購入商品の商品コードを獲得する商品コード獲得部と、
該商品コード獲得部によって獲得された前記商品コードに対応する商品情報を該商品情報データベースから検索して読み出す検索部と、
該検索部によって検索された前記商品情報を取引データとして保存部に登録・保存する登録部と、
前記購入商品の精算を完了した時に、該登録部によって該保存部に登録・保存された取引データ、および、所定の編集規則に基づいて、レシート印字内容を編集する第１編集部と、
該第１編集部によって編集されたレシート印字内容を印字したレシートを発行するレシート発行部と、
前記購入商品の取引に関する各種データを表示する表示部と、
該表示部における表示状態を制御する表示制御部と、
発行済みレシートの印字内容に対応する登録済み取引データを該保存部から読み出すための読出指示を入力する読出指示入力部と、
該読出指示入力部からの読出指示に応じて前記登録済み取引データを該保存部から読み出す読出部と、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部とをそなえ、
該表示制御部が、該第２編集部によって編集された明細表示画面を該表示部に表示させるように該表示部の表示状態を制御することを特徴とする、金銭登録システム。
【００６７】
（付記１０）
該第２編集部が、まず、前記明細表示画面として、当該印字内容を簡略的に表示する簡略表示画面を編集し、該表示制御部が、当該簡易表示画面を該表示部に表示させるように該表示部の表示状態を制御してから、
該第２編集部が、前記明細表示画面として、当該印字内容を正式に表示する正式表示画面を編集・復元し、該表示制御部が、当該正式表示画面を該表示部に表示させるように該表示部の表示状態を制御することを特徴とする、付記９記載の金銭登録システム。
【００６８】
（付記１１）
該表示部での前記簡略表示画面の表示後に前記登録済み取引データを該保存部から取り消すための取消指示を入力する取消指示入力部と、
該取消指示入力部からの取消指示に応じて前記登録済み取引データを該保存部から取り消す取消部とをそなえ、
該消去指示入力部からの取消指示に応じて、該第２編集部が前記正式表示画面の編集・復元を行なうとともに該表示制御部が当該正式表示画面を該表示部に表示させるように該表示部の表示状態を制御することを特徴とする、付記１０記載の金銭登録システム。
【００６９】
（付記１２）
該第１編集部と該第２編集部とが共通化されていることを特徴とする、付記９〜付記１１のいずれか一項に記載の金銭登録システム。
（付記１３）  購入商品の商品コードを獲得する商品コード獲得部と、該商品コード獲得部によって獲得された前記商品コードに対応する商品情報を検索して読み出す検索部と、該検索部によって検索された前記商品情報を取引データとして保存部に登録・保存する登録部と、前記購入商品の精算を完了した時に該登録部によって該保存部に登録・保存された取引データ、および、所定の編集規則に基づいてレシート印字内容を編集する第１編集部と、該第１編集部によって編集されたレシート印字内容を印字したレシートを発行するレシート発行部と、前記購入商品の取引に関する各種データを表示する表示部とをそなえて構成される金銭登録装置において、該表示部における表示状態を制御する表示制御部としてコンピュータを機能させるための金銭登録装置用表示制御プログラムであって、
発行済みレシートの印字内容に対応する登録済み取引データを該保存部から読み出すための読出指示に応じて前記登録済み取引データを該保存部から読み出す読出部、および、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部として、該コンピュータを機能させ、
該第２編集部によって編集された明細表示画面を該表示部が表示するように該表示部の表示状態を該コンピュータに制御させることを特徴とする、金銭登録装置用表示制御プログラム。
【００７０】
（付記１４）  まず、前記明細表示画面として、当該印字内容を簡略的に表示する簡略表示画面を該第２編集部に編集させ、当該簡易表示画面を該表示部が表示するように該表示部の表示状態を該コンピュータに制御させてから、
前記明細表示画面として、当該印字内容を正式に表示する正式表示画面を該第２編集部に編集・復元させ、当該正式表示画面を該表示部が表示するように該表示部の表示状態を該コンピュータに制御させることを特徴とする、付記１３記載の金銭登録装置用表示制御プログラム。
【００７１】
（付記１５）  該表示部での前記簡略表示画面の表示後に入力される、前記登録済み取引データを該保存部から取り消すための取消指示に応じて、前記正式表示画面の編集・復元を該第２編集部に行なわせるとともに、当該正式表示画面を該表示部が表示するように該表示部の表示状態を該コンピュータに制御させることを特徴とする、付記１４記載の金銭登録装置用表示制御プログラム。
【００７２】
（付記１６）  該第１編集部としての機能と該第２編集部としての機能とを該コンピュータに共通化させることを特徴とする、付記１３〜付記１５のいずれか一項に記載の金銭登録装置用表示制御プログラム。
（付記１７）  購入商品の商品コードを獲得する商品コード獲得部と、該商品コード獲得部によって獲得された前記商品コードに対応する商品情報を検索して読み出す検索部と、該検索部によって検索された前記商品情報を取引データとして保存部に登録・保存する登録部と、前記購入商品の精算を完了した時に該登録部によって該保存部に登録・保存された取引データ、および、所定の編集規則に基づいてレシート印字内容を編集する第１編集部と、該第１編集部によって編集されたレシート印字内容を印字したレシートを発行するレシート発行部と、前記購入商品の取引に関する各種データを表示する表示部とをそなえて構成される金銭登録装置において、該表示部における表示状態を制御する表示制御部としてコンピュータを機能させるための金銭登録装置用表示制御プログラムを記録したコンピュータ読取可能な記録媒体であって、
該金銭登録装置用表示制御プログラムが、
発行済みレシートの印字内容に対応する登録済み取引データを該保存部から読み出すための読出指示に応じて前記登録済み取引データを該保存部から読み出す読出部、および、
該読出部によって該保存部から読み出された前記登録済み取引データ、および、前記所定の編集規則に基づいて、前記発行済みレシートの印字内容における商品の印字順序と同一順序となるように明細表示画面を編集する第２編集部として、該コンピュータを機能させ、
該第２編集部によって編集された明細表示画面を該表示部が表示するように該表示部の表示状態を該コンピュータに制御させることを特徴とする、金銭登録装置用表示制御プログラムを記録したコンピュータ読取可能な記録媒体。
【００７３】
（付記１８）  該金銭登録装置用表示制御プログラムが、
まず、前記明細表示画面として、当該印字内容を簡略的に表示する簡略表示画面を該編集部に編集させ、当該簡易表示画面を該表示部が表示するように該表示部の表示状態を該コンピュータに制御させてから、
前記明細表示画面として、当該印字内容を正式に表示する正式表示画面を該編集部に編集・復元させ、当該正式表示画面を該表示部が表示するように該表示部の表示状態を該コンピュータに制御させることを特徴とする、付記１７記載の金銭登録装置用表示制御プログラムを記録したコンピュータ読取可能な記録媒体。
【００７４】
（付記１９）  該金銭登録装置用表示制御プログラムが、
該表示部での前記簡略表示画面の表示後に入力される、前記登録済み取引データを該保存部から取り消すための取消指示に応じて、前記正式表示画面の編集・復元を該編集部に行なわせるとともに、当該正式表示画面を該表示部が表示するように該表示部の表示状態を該コンピュータに制御させることを特徴とする、付記１８記載の金銭登録装置用表示制御プログラムを記録したコンピュータ読取可能な記録媒体。
【００７５】
（付記２０）  該金銭登録装置用表示制御プログラムが、該第１編集部としての機能と該第２編集部としての機能とを該コンピュータに共通化させたことを特徴とする、付記１７〜付記１９のいずれか一項に記載の金銭登録装置用表示制御プログラムを記録したコンピュータ読取可能な記録媒体。
【図面の簡単な説明】
【００７６】
【図１】本発明の一実施形態としての金銭登録装置（ＰＯＳ端末）を含む金銭登録システム（ＰＯＳシステム）の機能的な構成を示すブロック図である。
【図２】本実施形態のＰＯＳ端末における通番取消・修正時（登録済み取引データの変更時）のオペレーションフローを示す図である。
【図３】本実施形態のＰＯＳ端末において通番読出時に表示される明細表示画面（簡略表示画面）の一例をレシート印字内容に対応させて示す図である。
【図４】本実施形態のＰＯＳ端末において明細復元後に表示される明細表示画面（正式表示画面）の一例を示す図である。
【図５】本実施形態のＰＯＳ端末における通常売上時の売上登録処理機能およびメイン画面コントロール機能について説明するための図である。
【図６】本実施形態のＰＯＳ端末における通番取消・修正時の通番取消・修正処理機能およびメイン画面コントロール機能について説明するための図である。
【図７】ＰＯＳ端末において通常売上時に表示される明細表示画面の一例を示す図である。
【図８】図７に示す明細表示画面の内容に対応して発行されるレシートの一例を示す図である。
【符号の説明】
【００７７】
１    ＰＯＳ端末（金銭登録装置）
２    商品情報データベース
１０    ＣＰＵ
１１    検索部
１２    登録部
１３    編集部（第１編集部，第２編集部）
１４    表示制御部
１５    読出部
１６    取消部
１７    変更部
２０    バーコードスキャナ（商品コード獲得部）
３０    記憶部（保存部）
４０    タッチパネル（キーボード）
４１    通番設定キー（読出指示入力部）
４２    テンキー（読出指示入力部）
４３    登録キー（取消指示入力部）
４４    クリアキー
５０    レシートプリンタ（レシート発行部）
６０    ジャーナルプリンタ
７０    メインディスプレイ（表示部）
８０    カスタマディスプレイ
１００    購入商品
１０１    バーコード（商品コード）
２００    レシート（発行済みレシート）
【図１】
2005275686.tif 000003
【図２】
2005275686.tif 000004
【図３】
2005275686.tif 000005
【図４】
2005275686.tif 000006
【図５】
2005275686.tif 000007
【図６】
2005275686.tif 000008
【図７】
2005275686.tif 000009
【図８】
2005275686.tif 000010